(57)【要約】      （修正有）【課題】熱電冷却を行うペルチェ素子に接続される電源と、CPUやパワーデバイスの電源とは別電源系統で設けることが多いが、半導体素子をペルチェ冷却する電源を、半導体素子の駆動電源と共通化し、電源系統を簡素化する半導体装置を提供する。【解決手段】シリコン半導１０１に流れる電流を用いてシリコン半導体１０１を冷却するN型材料１０２を備える。N型材料１０２では熱がシリコン半導体１０１側から外側に輸送されるため、シリコン半導体１０１が冷却される。【選択図】図１
2008263164.tif 000002
【特許請求の範囲】
【請求項１】
半導体素子に流れる電流を用いて前記半導体素子を冷却する手段を備えた半導体装置。
【請求項２】
前記冷却する手段は、シリコン半導体と当接するN型材料よりなる、請求項１記載の半導体装置。
【請求項３】
前記冷却する手段は、熱伝導率が相対的に大、電気抵抗率が相対的に小、ゼーベック係数が相対的に大の材料を含む、請求項１記載の半導体装置。
【請求項４】
前記冷却する手段は、金属系材料よりなる、請求項１記載の半導体装置。
【請求項５】
前記冷却する手段は、銅合金よりなる、請求項１記載の半導体装置。
【請求項６】
前記冷却する手段は、炭化珪素よりなる請求項１記載の半導体装置。
【請求項７】
前記冷却する手段は、窒化アルミニウムよりなる請求項１記載の半導体装置。
【請求項８】
前記半導体素子がパワーMOSFETよりなる請求項１記載の半導体装置。
【請求項９】
前記パワーMOSFETの半導体基板がN型材料を介して前記パワーMOSFETのドレイン端子に接続する請求項８記載の半導体装置。
【請求項１０】
前記パワーMOSFETのドレイン電極にN型材料を備えた請求項８記載の半導体装置。
【請求項１１】
前記半導体素子がIGBT（insulated gate bipolar transistor）よりなる請求項１記載の半導体装置。
【請求項１２】
前記半導体素子がIGBT（insulated gate bipolar transistor）よりなり、前記冷却する手段がＮ型材料よりなり、前記IGBTと前記Ｎ型材料との間に金属層が配設されてなる請求項１記載の半導体装置。
【請求項１３】
前記IGBTの半導体基板がN型材料を介して前記IGBTのコレクタ端子に接続する請求項１１又は１２記載の半導体装置。
【請求項１４】
前記IGBTのコレクタ電極にN型材料を備えた請求項１１又は１２記載の半導体装置。
【請求項１５】
放熱板にN型材料を備えた請求項１記載の半導体装置。
【請求項１６】
PN接合を形成するP型素子とN型素子の少なくとも１方の素子に金属層を介して、前記１方の素子とは逆極性の熱電半導体素子を備えた半導体装置。
【請求項１７】
PN接合を形成するP型素子とN型素子について、前記P型素子の前記PN接合部に流れる電流の上流側に金属を介してN型熱電半導体素子を備えている請求項１６記載の半導体装置。
【請求項１８】
PN接合を形成するP型素子とN型素子について、前記N型素子の前記PN接合部に流れる電流の下流側に金属を介してP型熱電半導体素子を備えている請求項１６又は１７記載の半導体装置。
【請求項１９】
PN接合を通して電流が流れるとき、前記熱電半導体素子はペルチェ冷却素子として作用する請求項１６乃至１８のいずれか一に記載の半導体装置。
【請求項２０】
前記冷却する手段がＮ型材料よりなり、前記Ｎ型材料は接合する前記半導体素子よりも、電流方向に関する断面積が大とされる、請求項１記載の半導体装置。
【請求項２１】
ダイオード、ＬＥＤ（Ｌｉｇｈｔ  Ｅｍｉｔｔｉｎｇ  Ｄｉｏｄｅ）、半導体レーザのうちの少なくとも１つの半導体素子におけるＰＮ接合を形成するP型素子とN型素子の少なくとも１方の素子に金属層を介して、前記１方の素子とは逆極性の熱電半導体素子を備えた半導体装置。
【請求項２２】
前記P型素子の前記PN接合部に流れる電流の上流側に金属を介してN型熱電半導体素子を備えている請求項２１記載の半導体装置。
【請求項２３】
前記N型素子の前記PN接合部に流れる電流の下流側に金属を介してP型熱電半導体素子を備えている請求項２１又は２２記載の半導体装置。
【請求項２４】
前記PN接合を通して電流が流れるとき、前記熱電半導体素子はペルチェ冷却素子として作用する請求項２１乃至２３のいずれか一に記載の半導体装置。
【発明の詳細な説明】
【技術分野】
【０００１】
本発明は半導体装置に関し、特に冷却構造に関する。
【背景技術】
【０００２】
ペルチェ素子は、例えばCPUの冷却など半導体素子の冷却に多用されている。CPUに接続された電源とは別にペルチェ素子用の電源を持ちCPUには放熱フィンを設ける。パワーデバイスも冷却が重要であり、小型パワーデバイスではその容積の例えば100倍以上の放熱板を取り付ける場合もある。ペルチェ素子の原理を説明する。図７にペルチェ素子での熱流について説明する。図７は、ペルチェ素子の電流と熱流束の流れを示す図である。ペルチェ材料の極性がN型かP型かによって電流の流れる方向は反転する。一方、熱流束の流れは変化しない。熱伝導は電流の向きに変わりなく、高温側から低温側に流れる。ジュール熱は等方的であるため低温側、高温側にそれぞれ熱が流れ込む。ペルチェ効果は低温側から高温側に熱を運ぶ。このため、ヒートポンプと呼ばれる。
それぞれのプロセスを数式に表すと下記のようになる。
【０００３】
熱伝導：  κ・▽ T                      （１）
ジュール熱：  η・I2                    （２）
ペルチェ熱：  α・T・I                  （３）
ここで、κ, η, αはそれぞれ熱伝導率、電気抵抗率、ゼーベック係数である。
【０００４】
少ない電流でペルチェ効果による熱流束を大きくするには、
κが小、
ηが低、
αが大
の材料が好適材料になる。例えばビスマス・テルル系の材料が多用され、半導体と言うより不純物を多く入れて金属的な性質にして利用している。条件を定量的に評価するために性能指数Zが導入される。性能指数Zは式（４）で与えられる。
【０００５】
Z=α2／（κ・η）                      (４)
Zが大きいとその材料の性能は高いことを意味する。Zの単位は[T-1]となるので、通常は絶対温度を乗じてZ・Tとして無次元にして評価する。熱流束などの計算ではZTとして入ってきて、Z単独では現れない。
【０００６】
κが小、ηが低、αが大の材料を探すことは大変な努力を必要とする。それは、金属や半導体などの材料では上記のパラメータが二律背反的な特性を示すからである。つまり、一般に材料は、熱伝導率の高い材料は電気抵抗率が低いし、電気抵抗率の低い材料はゼーベック係数が低いからである。同時にそれぞれの輸送係数が望む方向に変化することはほとんど無い。したがって、材料の選択は、それぞれのパラメータの最適値を探すことになる。新しく基本材料を決めると、不純物を混入する量を広い範囲で変化させたり、作り方を変えたりして、それぞれのパラメータの測定を行って材料評価を行う。したがって、ある材料の基本物性値が分かったからと言って、該材料が使えるか否かは実験結果によって判断するしかない。
【０００７】
図８（A）、（B）に、従来の横型及び縦型のパワーMOSFETの典型的な構造を示す（インターナショナル・レクティファイアー・ジャパン編「パワーMOSFETの応用」2004年10月, p. 13より引用）。横型では、電流の流れるチャンネルが左のソースから右のドレインのように横に存在する。ソース・ドレイン間に方向性はなく、どちらにも流れる。縦側の場合には、ソースは上部でドレインは下部にあり、図に示した矢印のように電子が縦方向に流れる。これも方向性はない。
【０００８】
図９に、従来のIGBT（insulated  gate bipolar transistor）の典型的な構造を示す（山崎  浩「よくわかるパワーMOSFET/IGBT入門」日刊工業新聞2002年7月, p.12より引用）。コレクタ側にIGBTはP型が接触していることである。このため半導体中のキャリア密度が大きく上昇するのでMOSFETに比べてON電圧が下がることが大きな特長であり、パワーデバイスとして現在広く利用されるようになっている。但し、このためスイッチング周波数はMOSFETほど高く取れないが、GTO(gate turn-off thyristor)などよりは高い周波数で動作が可能である。
【０００９】
またパワーMOSFETの電極は、例えば銅にニッケルメッキされている。スイッチングが出来る電流は例えば100Aとされるが、放熱板が十分に機能した時のみである。大電流の制御には冷却が重要である。極性としてのP型とN型の定義の一つに、ゼーベック係数が正と負で分けることがある。
【００１０】
図７の電流方向とペルチェ熱流束の方向の関係から、縦型MOSFETでは半導体内部からドレインにペルチェ熱が運ばれるので、電流によって冷却されることになるが、IGBTではコレクタにはP型が接続されているので、半導体内部に熱が輸送されることが分かる。
【００１１】
これは、ダイオードも電流が流れる時には同様な熱流が発生する。IGBTもダイオードもPN接合部に向かって熱流が流れることから、接合部の抵抗が高いことも相まって電流の上昇によって急に接合部の温度が上昇する。このため、電流の増大によってオン抵抗が急激に増大する一つの理由であると考えられる。
【００１２】
なお、パワー素子において熱電変換素子による冷却を行う装置は特許文献１等が参照される。
【００１３】
【特許文献１】特開２００３−１７９１９６号公報
【非特許文献１】S. Yamaguchi et al, “Peltier current lead experiment and their applications for superconducting magnets”, Rev. Sci. Instrum., vol.75, pp. 207-212, 2004.
【非特許文献２】T. Kawahara et al, “Thermoelectric properties of and Dopant distribution in SiC Thin Films”, Jpn. J. Appl. Phys., vol. 38, pp. 4852-4856, 1999.
【非特許文献３】Y. Okamoto et al, “Infrared-reflection characterization of sintered SiC thermoelectric semiconductors with the use of a four-component effective medium model”, J. Applied Physics, vol. 85, pp. 6728-6737, 1999.
【非特許文献４】岡本庸一ほか、「ニッケルとシリコンを二重に添加したシリコンカーバイド焼結半導体の熱電特性」日本金属学会誌  第63巻第11号（1999）1443-1447.
【非特許文献５】Glen A.Slack, “Thermal conductivity of Pure and Impure Silicon, Silicon Carbide, and Diamond”, J. Applied Phys., vol. 35, pp. 3460-3466、1964.
【非特許文献６】Y. Okamoto et al, “Temperature dependence of thermoelectric properties of SiC/B4C”, 13th Int. Conf. Thermoelectrics, (AIP Conference Proc. 316), pp. 92-95,1995.
【非特許文献７】X. H. Wang et al, “Thermoelectric properties of SiC thick film deposited by thermal plasma physical vapor deposition”, Sci. Tech. Advanced Mat., vol 4, pp. 167-172、2003.
【非特許文献８】Y. Okamoto et al, “Temperature dependence of thermoelectric properties of SiC/Al”,Proc. 14th  Int. Conf. Thermoelectrics, pp. 269-273, 1996.
【発明の開示】
【発明が解決しようとする課題】
【００１４】
上記特許文献１、非特許文献１乃至８の各開示事項は引用をもって本明細書に組む込むものとする。以下に本発明による関連技術の分析を与える。
冷却を行うペルチェ素子に接続される電源と、CPUやパワーデバイスの電源とは別電源系統で設けることが多い。これは、動作が全く異なるからである。例えば超伝導システムで利用されるペルチェ電流リード(PCL)（S. Yamaguchi et al, “Peltier current lead experiment and their applications for superconducting magnets”, Rev. Sci. Instrum., vol.75, pp. 207-212, 2004.）では、超伝導マグネットを励磁する電源と電流リードをペルチェ冷却する電源は同じである。同じ電源で冷却にも利用できれば電源システムの節約になる。
【００１５】
したがって本発明は、半導体素子をペルチェ冷却する電源を、半導体素子の駆動電源と共通化し、電源系統を簡素化する半導体装置を提供することにある。
【課題を解決するための手段】
【００１６】
本発明に係る半導体装置は、半導体素子に流れる電流を用いて半導体素子を冷却する手段を備えている。
【００１７】
本発明において、前記冷却手段は、シリコン半導体と当接するN型材料よりなる。
【００１８】
本発明において、前記冷却手段は、熱伝導率が相対的に大、電気抵抗率が相対的に小、ゼーベック係数が相対的に大の材料を含む。
【００１９】
本発明において、前記冷却手段は、金属系材料よりなる。本発明において、前記冷却手段は、銅合金よりなる。
【００２０】
本発明において、前記冷却する手段は、炭化珪素よりなる。前記冷却する手段は、窒化アルミニウムであってもよい。
【００２１】
本発明において、前記半導体素子がパワーMOSFETよりなる。本発明において、シリコン半導体がN型材料を介してパワーMOSFETのドレイン端子に接続する。ドレイン電極にN型材料を備えた構成としてもよい。
【００２２】
本発明において、前記半導体素子がIGBT（insulated gate bipolar transistor）よりなる。本発明において、前記冷却する手段がＮ型材料よりなり、前記半導体素子のIGBTとＮ型材料との間に金属層を備えた構成としてもよい。シリコン半導体がN型材料を介してコレクタ端子に接続する。コレクタ電極にN型材料を備えた構成としてもよい。
【００２３】
本発明において、放熱板にN型材料を備えた構成としてもよい。
本発明は別の側面において、PN接合を形成するP型素子とN型素子の少なくとも１方の素子に金属層を介して、前記１方の素子とは逆極性の熱電半導体素子を備えている。
本発明において、PN接合を形成するP型素子とN型素子について、前記P型素子の前記PN接合部に流れる電流の上流側に金属を介してN型熱電半導体素子を備えている。
本発明において、PN接合を形成するP型素子とN型素子について、前記N型素子の前記PN接合部に流れる電流の下流側に金属を介してP型熱電半導体素子を備えている。
本発明において、PN接合を通して電流が流れるとき、前記熱電半導体素子はペルチェ冷却素子として作用する。
本発明において、ダイオード、ＬＥＤ（Ｌｉｇｈｔ  Ｅｍｉｔｔｉｎｇ  Ｄｉｏｄｅ）、半導体レーザのうち少なくとも１つの素子におけるＰＮ接合を形成するP型素子とN型素子の少なくとも１方の素子に金属層を介して、前記１方の素子とは逆極性の熱電半導体素子を備える。本発明において、前記P型素子の前記PN接合部に流れる電流の上流側に金属を介してN型熱電半導体素子を備えた構成としてもよい。本発明において、前記N型素子の前記PN接合部に流れる電流の下流側に金属を介してP型熱電半導体素子を備えた構成としてもよい。
【発明の効果】
【００２４】
本発明によれば、半導体素子に流れる電流を利用して半導体素子を冷却する構成としたことにより電源システムを簡素化、節約することができる。
【発明を実施するための最良の形態】
【００２５】
本発明の実施形態について説明する。本発明は、パワーデバイスに流れる電流を利用して冷却する。図１は、本発明の構成を模式的に示す図である。ペルチェ冷却を行うために今までは、ドレイン(IGBTではコレクタ)が接合されていた銅電極の代わりに、N型材料１０２を使う。熱がシリコン半導体１０１側から外側に輸送されるため、シリコン半導体１０１が冷却される。図１に示すように、N型材料１０２の面積（すなわち、電流の流れる方向に直交する断面積）はシリコン半導体１０１よりも大とされる。
【００２６】
図１におけるN型材料１０２は、従来のペルチェ材料の選択原理とは異なる。図２を用いて説明する。それは、冷却対象物が室温より高いからである。
【００２７】
従来のペルチェ材料は、常温よりも低い温度を達成するため、熱伝導による熱流束は、ペルチェ熱流とは方向が逆である。
【００２８】
また、N型を利用するためペルチェ効果による熱流束はシリコン側から室温側になる。このような系では材料を選択する基準が変化する。
【００２９】
本発明では、κが大、ηは低、αが大の材料を選択する方向になる。熱伝導も冷却に寄与するので、熱伝導率が高い材料が用いられる。このため、従来のペルチェ材料の性能指数(４)は使えなくなる。
【００３０】
そこで、本発明では、新しい性能指数Yを提案する。
【００３１】
2008263164.tif 000003
【００３２】
本発明では、このYが評価基準となる。したがって、従来とは全く異なった材料が使われる可能性がある。更に、金属系の材料では、一般に熱伝導率の高い材料は電気抵抗率が低いので、従来のペルチェ材料よりは二律背反的な状況が緩和される。新しく提案するペルチェ素子材料として、金属系の材料が用いられる。輸送現象が縮退した電子ガスによる場合には、電気抵抗率と熱伝導率はWiedemann-Franz則に従うことが知られている。これは式（７）で表せる。
【００３３】
2008263164.tif 000004
【００３４】
ここで、Tは絶対温度であり、LはLorenz数と呼ばれ、ボルツマン常数と電子の電荷で下記のように表される。
【００３５】
2008263164.tif 000005
【００３６】
Lは、複数の金属に対して、ほぼ同じ値になることが実験的に知られ、理論的にも導き出された。ゼーベック係数の大きな金属材料を探すことが一つの方針になる。例えば、熱電対に使われるコンスタンタンという銅合金は、N型で常温ではゼーベック係数は-42.7mV/Kであり、純銅よりも100倍以上大きい。電気抵抗率は0.49mW・mであり、純銅よりも50倍程度大きい。Wiedemann-Franz則が良い近似を与えると考えられるので、純銅よりも50倍程度大きいとすると、性能指数Yは銅よりもコンスタンタンの方が大きくなる。コンスタンタンを用いた。
【００３７】
別の実施例を説明する。炭化ケイ素（SiC）はペルチェ材料として広く研究が行われた（例えば、T. Kawahara et al, “Thermoelectric properties of and Dopant distribution in SiC Thin Films”, Jpn. J. Appl. Phys., vol. 38, pp. 4852-4856, 1999.
Y. Okamoto et al, “Infrared-reflection characterization of sintered SiC thermoelectric semiconductors with the use of a four-component effective medium model”, J. Applied Physics, vol. 85, pp. 6728-6737, 1999.
岡本庸一ほか、「ニッケルとシリコンを二重に添加したシリコンカーバイド焼結半導体の熱電特性」日本金属学会誌  第63巻第11号（1999）1443-1447.）。
【００３８】
炭化ケイ素（SiC）は低温から高温まで過酷な環境下で利用できる特徴があるからである。これらの研究によって、ゼーベック係数を高く電気抵抗率を低い材料が作られるようになった。このため、power factor(=)は高くなった。しかしながら、もともと銅よりも熱伝導率が高いこともあり、ペルチェ材料としての利用はほぼ諦められ、現在に至っている。しかし、以上で述べたようにこの性質は本発明ではむしろ好まれる性質である。図３にSiCの熱伝導率を示す（Glen A.Slack, “Thermal conductivity of Pure and Impure Silicon, Silicon Carbide, and Diamond”, J. Applied Phys., vol. 35, pp. 3460-3466、1964.）。これはペルチェ材料開発のため行われた実験ではなく、物性値を広く調べる観点から行われた実験であり、サンプルの力学的強度も十分にある。
【００３９】
単結晶で少ないdopeサンプルは高い熱伝導率を示し、低いサンプルは多結晶である。
【００４０】
300K〜400Kで熱伝導率は300W/mK − 500W/mKを示し、銅より高い値になる。一方、多結晶サンプルでは、60W/mK − 150 W/mKとなる。ペルチェ材料研究の一環として不純物としてB4Cを混ぜた場合（Y. Okamoto et al, “Temperature dependence of thermoelectric properties of SiC/B4C”, 13th Int. Conf. Thermoelectrics, (AIP Conference Proc. 316), pp. 92-95,1995.）（極性はP型になる）でもほぼ同等かそれ以上の熱伝導率になる。一般に熱伝導率は電気的測定に比べて精密な測定が困難である。
【００４１】
次にゼーベック係数の温度依存性を図４に示す（X. H. Wang et al, “Thermoelectric properties of SiC thick film deposited by thermal plasma physical vapor deposition”, Sci. Tech. Advanced Mat., vol 4, pp. 167-172、2003.）。
【００４２】
これは薄膜SiCに不純物として窒素をdopingした場合である。この時はサンプルはN型になり、本実施例で用いるN型である。一般に、半導体素子に利用するSiCは不純物が窒素になりN型になるが、焼結によって作られた多結晶SiCではP型になることが多い。ゼーベック係数が不純物量によって-80mV/Kから-350mV/Kまで変化する。このような傾向は不純物としてアルミを使った焼結サンプルでも観測されている（Y. Okamoto et al, “Temperature dependence of thermoelectric properties of SiC/Al”,Proc. 14th  Int. Conf. Thermoelectrics, pp. 269-273, 1996.）。但し、この場合はP型になる。銅のゼーベック係数は大きめに見積もって-0.5mV/K程度であるため、2桁以上大きな値になる。
【００４３】
次に電気抵抗率について述べる。これは不純物の混入量で大きく変わり、N型単結晶では9.0(+20)/cm^3から9.83(+17)/cm^3のレンジで1.0(-5)Wmから6.6(-4)Wmで変化する。図５に、N型薄膜SiCの電気抵抗率を示す（X. H. Wang et al, “Thermoelectric properties of SiC thick film deposited by thermal plasma physical vapor deposition”, Sci. Tech. Advanced Mat., vol 4, pp. 167-172、2003.）。これもdoping量によって10(-2)Wmから10(-5)Wmの範囲に亘っている。そして、不純物のdoping量が大きいと電気抵抗率が低くなるのは、バルク材と同じ傾向である。しかし、低抵抗率サンプルは、図４から分かるようにゼーベック係数は低くなるため、最適値が存在することになる。薄膜の熱伝導率の測定は困難である。図４、図５の文献では、熱伝導率の報告はない。式(5)で評価される性能指数ではなく、power factorを複数の薄膜SiCについて比較している。これは、式(5)から熱伝導率のみを除いた式で定義される量である。図６にpower factorを示す（X. H. Wang et al, “Thermoelectric properties of SiC thick film deposited by thermal plasma physical vapor deposition”, Sci. Tech. Advanced Mat., vol 4, pp. 167-172、2003.）。
【００４４】
この値を銅と比較する。銅の電気伝導率は300K〜400Kで2.0(-8) Wmである。また、ゼーベック係数は0.5uV/K程度であるため、power factorは1.25(-5)Wm-1K-2となる。これは、図６のPower Factor▽で示された値の1/30程度となるしたがって、もし熱伝導率が銅と同じ値であれば銅よりも冷却には向いていると言える。
【００４５】
銅電極の表面に薄膜SiCを搭載するようにしてよい。放熱板の材料にSiCを用いる。熱伝導率がアルミなどよりも高いからである。放熱板まで電流を流せる冷却系を想定する。電流の流れるSiC板を水冷しても良い。
【００４６】
次に、本発明の自己冷却方式を、PN接合素子へ適用した例を以下に説明する。図１０に、ダイオードに流れる電流とペルチェ熱流の方向を模式的に示す。ダイオードにおいては、通電電流によるペルチェ熱流は、半導体の極性によって向きはそれぞれ反対方向になり、PN接合部に相対する向きに流れる。ダイオードに流れる通電電流（順方向電流）はPN接合部温度によって決まる。PN接合部は元々キャリアが少ないため、抵抗率が高く、該抵抗によるジュール発熱もある。このため、ダイオードの通電電流値の上昇によってPN接合部の温度が上がり、ダイオードの許容通電電流の最大値を決める。ダイオードでは、従来、冷却は材料の熱伝導を利用しているだけである。ダイオードの熱伝導は材料によって決まっている。図１０で模式的に示したP型素子とN型素子の厚さは互いに異なっている。半導体基板（N型又はＰ型）の主面表層に逆極性の領域を作ることで作成され、逆極性の領域から近い距離にPN接合層が存在するため、熱抵抗が小さくなり、冷却が効果的になる。これは、PN接合を備えた半導体デバイス（ウエル内にN型領域又はP型領域を作成する構成も含む）の全てに生じる現象である。IGBTでも、コレクタ側のP型基板と次の層であるN型エピタキシャル層の接合部で生じる。
【００４７】
本発明にしたがって、PN接合部を持つ素子に自己電流によるペルチェ冷却効果を持たせるためには、図１１に示すような構成とされる。ペルチェ冷却で熱を素子の外に運び出すには、それぞれに逆極性の半導体を接合することになるが、接合部では、電流が流れなくなるので、間に薄い金属層を挟む。これにより、電流が流れる。金属は電気抵抗が低いので、金属層での発熱は問題にならない。図１１では、P型素子のPN接合部と反対側に金属層を介してN型熱電半導体（ペルチェ素子）が設けられ、N型素子のPN接合部と反対側に金属層を介してP型熱電半導体（ペルチェ素子）が設けられている。すなわち、P型素子とN型素子側のどちらにもペルチェ熱が、素子の外側に運び出すように、２つのペルチェ冷却層を備えているが、一方だけでもよい。
【００４８】
前述したように、P、Nのどちらかの層が他に対して極めて薄い。薄い側に図１１のようなペルチェ冷却層を取り付ける。ペルチェ冷却層は、一般に、熱抵抗をより下げるために、その断面は、元の素子よりも大きく設定される。
本発明の自己冷却方式は、上記ダイオードのPN接合部以外にも、ＬＥＤ（Ｌｉｇｈｔ  Ｅｍｉｔｔｉｎｇ  Ｄｉｏｄｅ）、半導体レーザ等の素子のPN接合部にも適用できる。該素子を形成するP型素子とN型素子の少なくとも１方の素子に金属層を介して、前記１方の素子とは逆極性の熱電半導体素子を備える。前記P型素子のPN接合部に流れる電流の上流側に金属を介してN型熱電半導体素子を備えた構成としてもよい。あるいは、前記N型素子の前記PN接合部に流れる電流の下流側に金属を介してP型熱電半導体素子を備えた構成としてもよい。
また、上記実施例では、冷却手段（ペルチェ材料）として炭化ケイ素（ＳｉＣ）を例に説明したが、窒化アルミニウムであってもよい。また、半導体素子がIGBTの場合、IGBTとＮ型材料（例えば図１の１０２）との間に金属層を備える。
【００４９】
以上、本発明を上記実施例に即して説明したが、本発明は上記実施例の構成にのみ制限されるものでなく、本発明の範囲内で当業者であればなし得るであろう各種変形、修正を含むことは勿論である。
【図面の簡単な説明】
【００５０】
【図１】本発明の構成を示す図である。
【図２】本発明における熱流速の流れを示す図である。
【図３】バルクＳｉＣの熱伝導率を示す図である（Glen A.Slack, “Thermal conductivity of Pure and Impure Silicon, Silicon Carbide, and Diamond”, J. Applied Phys., vol. 35, pp. 3460-3466、1964.Fig.2）。
【図４】薄膜ＳｉＣ（不純物は窒素のN型）  ゼーベック係数の温度依存性を示す図である（X. H. Wang et al, “Thermoelectric properties of SiC thick film deposited by thermal plasma physical vapor deposition”, Sci. Tech. Advanced Mat., vol 4, pp. 167-172、2003.のFig.7）。
【図５】薄膜ＳｉＣ（不純物は窒素のN型）  電気抵抗率数の温度依存性を示す図である（X. H. Wang et al, “Thermoelectric properties of SiC thick film deposited by thermal plasma physical vapor deposition”, Sci. Tech. Advanced Mat., vol 4, pp. 167-172、2003.のFig.６）。
【図６】薄膜ＳｉＣ（不純物は窒素のN型）  ｐｏｗｅｒ  ｆａｃｔｏｒの温度依存性を示す図である（X. H. Wang et al, “Thermoelectric properties of SiC thick film deposited by thermal plasma physical vapor deposition”, Sci. Tech. Advanced Mat., vol 4, pp. 167-172、2003.のFig.６）。
【図７】ペルチェ素子における熱流速の流れを示す図である。
【図８】（A）、（B）は横型及び縦型MOSFETの構成を示す図である（インターナショナル・レクティファイアー・ジャパン編「パワーMOSFETの応用」2004年10月, p. 13より引用）。
【図９】IGBTの構成を示す図である（山崎  浩「よくわかるパワーMOSFET/IGBT入門」日刊工業新聞2002年7月, p.12より引用）。
【図１０】PNダイオードの電流とペルチェ電流を説明する図である。
【図１１】本発明の別の実施例を説明する図である。
【符号の説明】
【００５１】
１０１  シリコン半導体
１０２  N型材料
【図１】
2008263164.tif 000006
【図２】
2008263164.tif 000007
【図３】
2008263164.tif 000008
【図４】
2008263164.tif 000009
【図５】
2008263164.tif 000010
【図６】
2008263164.tif 000011
【図７】
2008263164.tif 000012
【図８】
2008263164.tif 000013
【図９】
2008263164.tif 000014
【図１０】
2008263164.tif 000015
【図１１】
2008263164.tif 000016